(57)【要約】【課題】好適な周波数の交番磁界を作用させることにより，磁気治療効果を向上できる高周波治療器を提供すること。【解決手段】被治療体の患部に対して交番磁界を作用させるための高周波治療器が提供される。この高周波治療器は，治療用高周波数の高周波交番磁界を患部に対して作用させるため，治療用高周波数の高周波電磁波を発生させる高周波電磁波発生手段を備え，上記治療用高周波数は５０〜１４０ＭＨｚの範囲から選択されることを特徴とする。かかる構成により，高周波治療器は，患部に対して，磁気治療効果の高い好適な周波数の高周波交番磁界を作用させることができる。かかる磁気刺激により，患部の細胞内のカルシウムイオン濃度を上昇させて，エキソサイトーシスを誘発させ，鎮痛作用を奏する物質などを放出させることができる。従って，患部の細胞組織をより活性化させて鎮痛効果，血行促進効果などの磁気治療効果を向上することができる。【選択図】図３
2006311970.tif 000002
【特許請求の範囲】
【請求項１】
被治療体の患部に対して交番磁界を作用させるための高周波治療器であって：
治療用高周波数の高周波交番磁界を前記患部に対して作用させるため，前記治療用高周波数の高周波電磁波を発生させる高周波電磁波発生手段を備え，
前記治療用高周波数は５０〜１４０ＭＨｚの範囲から選択されることを特徴とする，高周波治療器。
【請求項２】
前記高周波電磁波発生手段から放射された前記治療用高周波数の高周波交番磁界を，前記患部に対して作用させることにより，前記患部における細胞内のカルシウムイオン濃度を上昇させ，所定物質のエキソサイトーシスを誘発させることを特徴とする，請求項１に記載の高周波治療器。
【請求項３】
前記高周波治療器は疼痛治療器であることを特徴とする，請求項１または２に記載の高周波治療器。
【請求項４】
前記治療用高周波数は，５０〜１２０ＭＨｚの範囲から選択されることを特徴とする，請求項１〜３のいずれかに記載の高周波治療器。
【請求項５】
前記治療用高周波数は，５５〜１１０ＭＨｚの範囲から選択されることを特徴とする，請求項１〜３のいずれかに記載の高周波治療器。
【請求項６】
前記治療用高周波数は，６５〜１００ＭＨｚの範囲から選択されることを特徴とする，請求項１〜３のいずれかに記載の高周波治療器。
【請求項７】
前記治療用高周波数は，７５〜９５ＭＨｚの範囲から選択されることを特徴とする，請求項１〜３のいずれかに記載の高周波治療器。
【請求項８】
前記治療用高周波数は，８３．３±１０％ＭＨｚの範囲から選択されることを特徴とする，請求項１〜３のいずれかに記載の高周波治療器。
【請求項９】
前記高周波電磁波発生手段は，
高周波電流を出力する高周波発振手段と；
前記高周波発振手段から高周波電流が印可されることによって，前記治療用高周波数の高周波電磁波を発生させるアンテナと；
を備えることを特徴とする，請求項１〜８のいずれかに記載の高周波治療器。
【請求項１０】
前記高周波電磁波発生手段は，前記高周波電磁波を発生させるオン期間と，前記高周波電磁波を発生させないオフ期間を所定の周期で繰り返して，前記高周波電磁波を間欠的に発生させることを特徴とする，請求項１〜９のいずれかに記載の高周波治療器。
【請求項１１】
前記高周波電磁波発生手段は，前記高周波電磁波を発生させる第１のオン期間と，前記高周波電磁波を発生させない第１のオフ期間を，２．０±１０％ｋＨｚに対応する周期で繰り返して，前記高周波電磁波を間欠的に発生させることを特徴とする，請求項１０に記載の高周波治療器。
【請求項１２】
前記高周波電磁波発生手段は，前記高周波電磁波を発生させる第２のオン期間と，前記高周波電磁波を発生させない第２のオフ期間を，７．８±１０％Ｈｚに対応する周期で繰り返して，前記高周波電磁波を間欠的に発生させることを特徴とする，請求項１１に記載の高周波治療器。
【請求項１３】
所定の治療用低周波数の低周波交番磁界を前記患部に対して作用させるため，前記治療用低周波数の低周波電磁波を発生させる低周波電磁波発生手段を備え，
前記治療用低周波数は２．０±１０％ｋＨｚの範囲から選択されることを特徴とする，請求項１〜１２のいずれかに記載の高周波治療器。
【請求項１４】
前記低周波電磁波発生手段は，
低周波電流を出力する低周波発振手段と；
前記低周波発振手段から低周波電流が印可されることによって，前記治療用低周波数の低周波電磁波を発生させるアンテナと；
を備えることを特徴とする，請求項１３に記載の高周波治療器。
【請求項１５】
前記低周波電磁波発生手段は，前記低周波電磁波を発生させるオン期間と，前記低周波電磁波を発生させないオフ期間を所定の周期で繰り返して，前記低周波電磁波を間欠的に発生させることを特徴とする，請求項１３または１４に記載の高周波治療器。
【請求項１６】
前記低周波電磁波発生手段は，前記低周波電磁波を発生させる第３のオン期間と，前記低周波電磁波を発生させない第３のオフ期間を，７．８±１０％Ｈｚに対応する周期で繰り返して，前記低周波電磁波を間欠的に発生させることを特徴とする，請求項１５に記載の高周波治療器。
【請求項１７】
前記高周波電磁波のオン期間と，前記低周波電磁波のオン期間とは，同期していることを特徴とする，請求項１５または１６に記載の高周波治療器。
【請求項１８】
前記高周波電磁波発生手段は，１４０ＭＨｚより大きい周波数の高周波電磁波を，前記治療用高周波数に対応する周期で間欠的に発生させることによって，前記治療用高周波数の高周波電磁波を発生させることを特徴とする，請求項１〜１７のいずれかに記載の高周波治療器。
【請求項１９】
前記高周波電磁波発生手段が発生させる前記治療用高周波数の高周波電磁波は，５０ＭＨｚ未満の高周波電磁波を発生させる際に生じる高調波を含むことを特徴とする，請求項１〜１８のいずれかに記載の高周波治療器。
【発明の詳細な説明】
【技術分野】
【０００１】
本発明は，被治療体の患部に対して交番磁界を作用させるための高周波治療器に関する。
【背景技術】
【０００２】
従来，人体の患部に対して交番磁界を照射して刺激を与えることにより，疼痛の軽減，血行の促進等の磁気治療効果があることが知られている。かかる磁気治療効果を得るべく，コイル等に交流電流を印加して発生させた交番磁界を，患部に対して照射する各種の磁気治療器が提案されている。このうち，高周波治療器は，高周波電磁波を発生させ，高周波交番磁界を被治療体に作用させる装置である。例えば，特許文献１には，高周波発振器によって発振した１３．５６ＭＨｚ，２７，１２ＭＨｚ等の高周波電流をコイルに印加して，当該周波数の高周波電磁波を放射する高周波治療器が記載されている（例えば，特許文献１参照）。
【０００３】
【特許文献１】特開平９−８４８８６号公報
【発明の開示】
【発明が解決しようとする課題】
【０００４】
しかしながら，上記従来の高周波治療器では，患部に作用させる交番磁界の周波数が好適でないなどの原因で，十分な磁気治療効果が得られない場合もあった。このため，患部に対して効果的な周波数の高周波交番磁界を作用させて，優れた磁気治療効果を得ることが可能な高周波治療器が希求されていた。
【０００５】
そこで，本発明は，上記問題に鑑みてなされたものであり，本発明の目的とするところは，好適な周波数の高周波交番磁界を作用させることにより，磁気治療効果を向上させることが可能な，新規かつ改良された高周波治療器を提供することにある。
【課題を解決するための手段】
【０００６】
磁気治療効果のメカニズムについては完全には解明されていないが，本願発明者らは，所定の周波数の高周波交番磁界を被治療体（例えば人体の疼痛部位（患部）など）に作用させることにより，被治療体における特定種類の細胞内のカルシウムイオン（Ｃａ２＋）濃度を上昇させて，エキソサイトーシス（ｅｘｏｃｙｔｏｓｉｓ；開口放出）なる反応を誘発し，この結果，疼痛緩和等に寄与する物質の分泌を促す作用があることが，磁気治療効果の主要因の１つであると考えた。
【０００７】
そこで，本願発明者らは，かかる細胞内のカルシウムイオン濃度上昇に伴うエキソサイトーシスの誘発作用に着目し，鋭意努力して，被治療体に作用させる高周波交番磁界の周波数について実験及び検討を行った。この結果，磁気治療効果をより高めることが可能な好適な周波数が，約８３，３ＭＨｚ前後であることを見出し，以下のような本願発明に想到した。
【０００８】
上記課題を解決するために，本発明のある観点によれば，被治療体の患部に対して交番磁界を作用させるための高周波治療器が提供される。この高周波治療器は，治療用高周波数の高周波交番磁界を患部に対して作用させるため，治療用高周波数の高周波電磁波を発生させる高周波電磁波発生手段を備え，上記治療用高周波数は５０〜１４０ＭＨｚの範囲から選択されることを特徴とする。
【０００９】
かかる構成により，高周波治療器は，磁気治療に適した治療用高周波数の高周波電磁波を発生させることによって，当該治療用高周波数の高周波交番磁界を放射して，被治療体の患部に作用させることができる。かかる磁気刺激により，被治療体の患部における細胞内のカルシウムイオン濃度を上昇させて，エキソサイトーシスを誘発させ，鎮痛作用を奏する物質（例えば，神経成長因子，βエンドルフィンなど）を放出させることができる。従って，被治療体の組織の活性化による鎮痛効果，血行促進効果などの磁気治療効果を向上することができる。
【００１０】
また，上記５０〜１４０ＭＨｚの高周波交番磁界を被治療体の患部に作用させることにより，例えば，所定の細胞内のカルシウムイオン濃度の上昇度が所定割合以上（例えば１．２倍以上）となる陽性率を，例えば３０％以上にできるので，磁気治療効果を向上できる。
【００１１】
このように，本発明の高周波治療器は，上記高周波電磁波発生手段から放射された治療用高周波数の高周波交番磁界を，患部に対して作用させることにより，患部における細胞内のカルシウムイオン濃度を上昇させ，所定物質のエキソサイトーシス（神経成長因子，βエンドルフィン等）を誘発させるための治療器である。
【００１２】
また，上記高周波治療器は疼痛治療器であってもよい。これにより，上記高周波治療器を疼痛治療に適用できる。
【００１３】
また，上記治療用高周波数は，５０〜１２０ＭＨｚの範囲から選択されるようにしてもよい。これにより，周波数が５０〜１２０ＭＨｚである高周波交番磁界を被治療体の患部に作用させて，上記陽性率を例えば４０％以上にできるので，磁気治療効果を更に向上できる。
【００１４】
また，上記治療用高周波数は，５５〜１１０ＭＨｚの範囲から選択されるようにしてもよい。これにより，周波数が５５〜１１０ＭＨｚである高周波交番磁界を被治療体の患部に作用させて，上記陽性率を例えば５０％以上にできるので，磁気治療効果を更に向上できる。
【００１５】
また，上記治療用高周波数は，６５〜１００ＭＨｚの範囲から選択されるようにしてもよい。これにより，周波数が６５〜１００ＭＨｚである高周波交番磁界を被治療体の患部に作用させて，上記陽性率を例えば７０％以上にできるので，磁気治療効果を更に向上できる。
【００１６】
また，上記治療用高周波数は，７５〜９５ＭＨｚの範囲から選択されるようにしてもよい。これにより，周波数が７０〜９５ＭＨｚである高周波交番磁界を被治療体の患部に作用させて，上記陽性率を例えば９０％以上にできるので，磁気治療効果を更に向上できる。
【００１７】
また，上記治療用高周波数は，８３．３±１０％ＭＨｚの範囲から選択されるようにしてもよい。これにより，周波数が８３．３±１０％ＭＨｚである高周波交番磁界を被治療体の患部に作用させて，上記陽性率を例えば約１００％にできるので，磁気治療効果を更に向上できる。
【００１８】
また，上記高周波電磁波発生手段は，高周波電流を出力する高周波発振手段と；この高周波発振手段から高周波電流が印可されることによって，上記治療用高周波数の高周波電磁波を発生させるアンテナと；を備えるようにしてもよい。これにより，上記治療用高周波数の高周波電磁波を好適に発生させて，上記治療用高周波数の高周波交番磁界を被治療体の患部に適切に作用させることができる。
【００１９】
また，上記高周波電磁波発生手段は，高周波電磁波を発生させるオン期間と，高周波電磁波を発生させないオフ期間を所定の周期で繰り返して，高周波電磁波を間欠的に発生させるようにしてもよい。これにより，高周波交番磁界を間欠的に発生させて被治療体の患部に作用させることができるので，当該患部に対して，高周波交番磁界を作用させた状態と，作用させない状態とを繰り返し切り替えることができる。このため，当該患部に作用する高周波交番磁界刺激に変化が生じ，磁気治療効果を高めることができる。
【００２０】
また，上記高周波電磁波発生手段は，高周波電磁波を発生させる第１のオン期間と，高周波電磁波を発生させない第１のオフ期間を，２．０±１０％ｋＨｚに対応する周期で繰り返して，高周波電磁波を間欠的に発生させるようにしてもよい。さらに，上記高周波電磁波発生手段は，高周波電磁波を発生させる第２のオン期間と，高周波電磁波を発生させない第２のオフ期間を，７．８±１０％Ｈｚに対応する周期で繰り返して，高周波電磁波を間欠的に発生させるようにしてもよい。これにより，被治療体の患部の細胞が敏感に反応する好適な時間間隔で高周波交番磁界を間欠発生させて，患部に作用させることができる。
【００２１】
また，上記所定の治療用低周波数の低周波交番磁界を患部に対して作用させるため，治療用低周波数の低周波電磁波を発生させる低周波電磁波発生手段を備え，治療用低周波数は２．０±１０％ｋＨｚの範囲から選択されるようにしてもよい。これにより，被治療体の患部に対して，上記高周波交番磁界のみならず，磁気治療に適した治療用低周波数の周波数の低周波交番磁界を作用させて，被治療体の組織の活性化，鎮痛作用の促進，血行の促進などを誘発することができる。例えば，被治療体の細胞内のβエンドルフィン分泌量を増大させることができる。これにより，被治療体の患部に対する鎮痛効果などの磁気治療効果をさらに向上することができる。
【００２２】
また，上記低周波電磁波発生手段は，低周波電流を出力する低周波発振手段と；低周波発振手段から低周波電流が印可されることによって，上記治療用低周波数の低周波電磁波を発生させるアンテナと；を備えるようにしてもよい。これにより，上記治療用低周波数の低周波電磁波を好適に発生させて，上記治療用低周波数の低周波交番磁界を被治療体の患部に適切に作用させることができる。
【００２３】
また，上記低周波電磁波発生手段は，低周波電磁波を発生させるオン期間と，低周波電磁波を発生させないオフ期間を所定の周期で繰り返して，低周波電磁波を間欠的に発生させるようにしてもよい。これにより，低周波交番磁界を間欠的に発生させて被治療体の患部に作用させることができるので，当該患部に対して，低周波交番磁界を作用させた状態と，作用させない状態とを切り替えることができる。このため，当該患部に作用する低周波交番磁界刺激に変化が生じ，磁気治療効果を高めることができる。
【００２４】
また，上記低周波電磁波発生手段は，低周波電磁波を発生させる第３のオン期間と，低周波電磁波を発生させない第３のオフ期間を，７．８±１０％Ｈｚに対応する周期で繰り返して，低周波電磁波を間欠的に発生させるようにしてもよい。これにより，被治療体の患部の細胞が敏感に反応する好適な時間間隔で低周波交番磁界を間欠発生させて，患部に作用させることができる。
【００２５】
また，上記高周波電磁波のオン期間と，低周波電磁波のオン期間とは，同期しているようにしてもよい。即ち，上記間欠的に発生された高周波電磁波の発生期間と，上記間欠的に発生された低周波電磁波の発生期間とは，同期しているようにしてもよい。これにより，高周波交番磁界と低周波交番磁界とは，同タイミングで発生／非発生を繰り返すので，双方の交番磁界が被治療体の患部に作用するときと，作用しないときを明確に分離できる。このため，当該患部に作用する交番磁界刺激に明確な変化が生じ，磁気治療効果を高めることができる。
【００２６】
また，上記低周波電磁波は，略矩形波であるように構成してもよい。かかる構成により，低周波電磁波の波形の立ち上がり時間および立ち下がり時間を極小化できるので，磁界強度が急激に変化する低周波交番磁界を，被治療体に作用させることができる。さらに，上記低周波電磁波は，所定値とゼロ値とからなる２値をとるような略矩形波としてもよい。これにより，磁界の発生と非発生を周期的に繰り返すような低周波交番磁界を被治療体に作用させて，磁気治療効果を向上することができる。
【００２７】
また，上記高周波電磁波発生手段は，１４０ＭＨｚより大きい周波数の高周波電磁波を，治療用高周波数に対応する周期で間欠的に発生させることによって，上記治療用高周波数の高周波電磁波を発生させるようにしてもよい。これにより，患部の細胞が反応しない程度の高い周波数の高周波電磁波を搬送波として，上記治療用高周波数の高周波電磁波を発生させることができる。
【００２８】
また，上記高周波電磁波発生手段が発生させる治療用高周波数の高周波電磁波は，５０ＭＨｚ未満の高周波電磁波を発生させる際に生じる高調波を含むようにしてもよい。換言すると，高周波電磁波発生手段は，上記治療用高周波数（５０〜１４０ＭＨｚ）の整数分の１の周波数の電磁波を発生させる際に，高調波として当該５０〜１４０ＭＨｚの範囲内の高周波電磁波を付随的に発生可能な電磁波発生手段であってもよい。
【発明の効果】
【００２９】
以上説明したように本発明によれば，被治療体の患部に対して，磁気治療効果に優れた好適な治療用高周波数の交番磁界を作用させることにより，疼痛緩和や血行促進等の磁気治療効果を大幅に向上させることができる。
【発明を実施するための最良の形態】
【００３０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
（第１の実施の形態）
以下に，本発明の第１の実施形態にかかる高周波治療器について説明する。
【００３２】
まず，図１に基づいて，本実施形態にかかる高周波治療器１０の外観構成について説明する。なお，図１は，本実施形態にかかる高周波治療器１０の外観構成を示す斜視図である。
【００３３】
図１に示すように，高周波治療器１０は，例えば，ハウジング１２と，操作部１４と，表示部１６とを備える。
【００３４】
ハウジング１２は，内部に高周波治療器１０の主要な各装置を収容するための筐体であり，例えば，プラスチック等の合成樹脂などで形成されている。このハウジング１２は，図１の例では略直方体形状（例えば，長さ８ｃｍ×幅６ｃｍ×高さ２ｃｍ程度）を有しているが，かかる例に限定されず，例えば，略球状，略楕円球状，略棒状，略立方体形，その他ユーザが把持しやすい形状など，任意の形状に変更可能である。高周波治療器１０のユーザは，かかるハウジング１２を把持して，高周波治療器１０を患部に対して直接接触させる，或いは患部に対して所定距離以内に接近させることにより，高周波治療器１０から放射された電磁波（交番磁界を含む。）を患部に作用させることができる。
【００３５】
操作部１４は，例えば，高周波治療器１０の動作（交番磁界の照射動作など）をオン／オフするためのスイッチなどである。ユーザは，例えば，かかる操作部１４を押下するごとに，高周波治療器１０の動作／非動作を切り替えることができる。
【００３６】
また，表示部１６は，例えば，ＬＥＤ（発光ダイオード）等の発光ランプなどで構成される。この表示部１６は，高周波治療器１０の動作／非動作の状態や，後述する電源部（図示せず。）の残量または充電の状態などを表示することができる。本実施形態では，この表示部１６は，赤色ＬＥＤ１６ａと緑色ＬＥＤ１６ｂの２つのＬＥＤで構成されている。この赤色ＬＥＤ１６ａは，例えば，電源部の電池残量等が所定レベル以上であれば点灯し，このレベル未満であれば点滅する。また，緑色ＬＥＤ１６ｂは，高周波治療器１０の動作時には点灯又は点滅し，非動作時には消灯する。
【００３７】
しかし，表示部１６は，かかる例に限定されず，例えば，文字または図形等を表示可能な液晶表示手段（ＬＣＤ等）などから構成されもよい。これにより，表示部１６は，高周波治療器１０が照射している電磁波（交番磁界）の周波数若しくは強度，照射を継続した時間，照射タイミング，治療スケジュール，電池の残量，時刻，または温度などの各種情報を表示することが可能になる。
【００３８】
次に，図２に基づいて，本実施形態にかかる高周波治療器１０の内部構成について説明する。なお，図２は，本実施形態にかかる高周波治療器１０の内部構成を示す平面図である。
【００３９】
図２に示すように，高周波治療器１０のハウジング１２の内部には，例えば，電源部１８と，制御ブロック２０と，高周波用コイル３０と，低周波用コイル４０と，が設けられている。このうち，制御ブロック２０，高周波用コイル３０および低周波用コイル４０は，例えば，同一の基板１７上に設置されており，ハウジング１２に対してまとめて脱着可能である。
【００４０】
電源部１８は，例えば，各種の充電池または乾電池（例えば９Ｖの乾電池等）などで構成された直流の電源装置であり，高周波治療器１０内の各部に対して電力を供給することができる。また，制御ブロック２０は，例えば，治療機１０内の各部を制御する制御装置，高周波を発振する高周波発振回路およびクロック発生回路など（いずれも図示せず。）が設置されている回路基板であるが，詳細については後述する。
【００４１】
高周波用コイル３０は，高周波電流が印可されることにより高周波電磁波を放射するアンテナ（高周波用アンテナ）の一例である。この高周波用コイル３０は，例えば，比較的太い銅線などを８回巻きしたコイルで構成されたループアンテナである。かかる高周波用コイル３０は，例えば，上記制御ブロック２０から高周波電流が印加されることにより，周波数が，５０〜１４０ＭＨｚ（例えば約８３．３ＭＨｚ）である高周波電磁波（高周波交番磁界及び高周波交番電界）を発生させ，周囲に放射することができる。
【００４２】
一方，低周波用コイル４０は，低周波電流が印可されることにより低周波電磁波を放射するアンテナ（低周波用アンテナ）の一例である。この低周波用コイル４０は，例えば，比較的細い銅線などを軸芯に５００回巻きしたコイルで構成されたループアンテナである。かかる低周波用コイル４０は，例えば，上記制御ブロック２０から低周波電流が印加されることにより，周波数が例えば約２．０ｋＨｚである低周波電磁波（低周波交番磁界及び低周波交番電界）を発生させ，周囲に放射することができる。
【００４３】
これらの高周波用コイル３０および低周波用コイル４０は，例えば，双方の中心軸が例えば略同一方向となるように設置されており，双方が発生した高周波電磁波および低周波電磁波は，例えば，当該中心軸の円周方向に対して略均等に拡散するように照射される。このため，高周波治療器１０のいかなる面をいかなる角度で患部に接触又は接近させても磁気治療効果がある。従って，かかる高周波治療器１０を用いた治療が簡便になる。
【００４４】
なお，高周波電磁波又は低周波電磁波を放射するアンテナとしては，上記高周波コイル３０及び低周波コイル４０のようなループアンテナの例に限定されず，例えば，ロッドアンテナ等の各種のアンテナを用いることができる。
【００４５】
次に，図３に基づいて，本実施形態にかかる高周波治療器１０の回路構成および動作についてより詳細に説明する。なお，図３は，本実施形態にかかる高周波治療器１０の回路構成を示すブロック図である。
【００４６】
なお，以下に説明する制御ブロック２０および上記高周波用コイル３０は，周波数が５０〜１４０ＭＨｚである高周波電磁波を発生させる高周波電磁波発生手段の一構成例である。また，この制御ブロック２０および上記低周波用コイル４０は，周波数が例えば２ｋＨｚである低周波電磁波を発生させる低周波電磁波発生手段の一構成例である。
【００４７】
図３に示すように，制御ブロック２０は，例えば，主制御回路２２と，電源供給回路２１と，クロック発生回路２３と，高周波発振手段２４と，低周波発振手段２５とを備える。
【００４８】
主制御回路２２は，例えば，１チップマイクロコンピュータなどで構成されており，制御ブロック２０内の各部を制御する機能を有する。
【００４９】
電源供給回路２１は，例えば，オン／オフ制御回路２１２と，昇圧回路２１４と，降圧回路２１６とを有しており，上記電源部１８からの電力を制御ブロック２０内の各部に供給することを制御する機能を有する。具体的には，オン／オフ制御回路２１２は，例えば，操作部１４のスイッチのオン／オフを検出して，検出結果を主制御回路２２に入力する。また，オン／オフ制御回路２１２は，主制御回路２２のオン／オフ指示に基づいて，電源部１８から高周波用コイル３０および低周波用コイル４０などへの電力供給をオン／オフする。
【００５０】
また，昇圧回路２１４は，例えば，例えば９Ｖの乾電池からなる等電源部１８からの電力を，必要に応じて昇圧することができる。これにより，高周波用コイル３０および低周波用コイル４０に供給する電圧を例えば９Ｖに維持することができる。また，昇圧回路２１４は，例えば，電源部１８の電池の消耗等により，自身の出力できる電圧が所定レベル以下に降下した場合には，主制御回路２２に対して電池消耗のエラー信号を出力することもできる。この結果，主制御回路２２は，当該エラー信号が入力されると，例えば，赤色ＬＥＤ１６ａを点灯から点滅に切り替える制御を行い，電池の消耗をユーザに通知することができる。
【００５１】
また，降圧回路２１６は，電源部１８の電源を降圧することにより，主制御回路２２等に供給する電圧を例えば５Ｖに維持することができる。また，降圧回路２１６は，例えば，電源部１８の電池の消耗等により，自身が出力できる電圧が所定レベル以下に降下した場合には，主制御回路２２に対して電圧低下のエラー信号を出力することもできる。この結果，主制御回路２２は，例えば，電圧降下などによる突発的な動作停止等のトラブルを未然に防止するべく，高周波治療器１０全体の動作を停止するよう制御する。この結果，例えば，高周波治療器１０の動作中には点灯していた緑色ＬＥＤ１６ｂが，消灯するよう制御されるので，高周波治療器１０の動作が停止したことをユーザに通知することができる。
【００５２】
クロック生成回路２３は，例えば，所定周波数のクロック信号を生成して，主制御回路２２に出力する。このクロック生成回路２３は，例えば，３２．７ｋＨｚおよび１０ＭＨｚのクロック信号を生成できるように構成されている。主制御回路２２は，このクロック生成回路２３から入力されたクロック信号を低周波発振手段２５４に出力する。低周波発振手段２５４は，当該クロック信号に基づいて，例えば，２．０ｋＨｚおよび７．８１Ｈｚのクロック信号を生成し，変調回路２４６およびコイル駆動回路２５６にそれぞれ出力する。
【００５３】
高周波発振手段２４は，例えば，約８３．３ＭＨｚの高周波電流を生成して，高周波用コイル３０に印可する。この高周波発振手段２４は，例えば，周波数制御回路２４２と，高周波発振回路２４４と，変調回路２４６と，コイル駆動回路２４８とを有する。
【００５４】
周波数制御回路２４２は，高周波発振回路２４４が生成する高周波の周波数を制御する機能を有する。具体的には，この周波数制御回路２４２は，例えば，主制御回路２２からの周波数設定信号，および高周波発振回路２４４からフィードバックされた高周波に基づいて，高周波発振回路２４４が出力する高周波の周波数を制御する。この結果，高周波発振回路２４４は，例えば８３．３ＭＨｚの高周波を安定的に発振して，変調回路２４６に出力することができる。なお，高周波は，所定の周波数を伝達できる信号であれば，高周波電流または高周波電圧の何れであってもよい。また，上記高周波発振回路２４４が出力する８３．３ＭＨｚの高周波は，例えば略正弦波信号である。
【００５５】
変調回路２４６は，例えば，低周波発振回路２５４から入力されるクロック信号に基づいて，高周波発振回路２４４から入力された８３．３ＭＨｚの高周波を，例えば２段階でオン／オフ処理して間欠的に出力することができる。
【００５６】
第１段階のオン／オフ処理は，例えば，２．０ｋＨｚのクロック信号に基づいて，入力された８３．３ＭＨｚの高周波を部分的にカットして，間欠的に出力する処理である。具体的には，変調回路２４６は，例えば，所定の第１のオン期間（例えば４００μｓｅｃ）は８３．３ＭＨｚの高周波をそのまま出力し，次いで，所定の第１のオフ期間（例えば１００μｓｅｃ）は当該高周波の振幅をカットした信号として出力する処理を繰り返す。これにより，変調回路２４６は，例えば，定常的な正弦波として入力された８３．３ＭＨｚの高周波を，例えば２．０ｋＨｚ相当の周期でオン／オフして，８３．３ＭＨｚの高周波を間欠発振することができる。換言すると，変調回路２４６は，例えば，高周波発振回路２４４から入力された８３．３ＭＨｚの高周波を搬送波として，２．０ｋＨｚの略矩形波を表す信号を出力する変調処理を行うことができる。
【００５７】
また，第２段階のオン／オフ処理は，例えば，上記第一段階目のオン／オフ処理がなされた高周波を，７．８１Ｈｚのクロック信号に基づいて，さらに部分的にカットして間欠的に出力する処理である。具体的には，変調回路２４６は，例えば，所定の第２のオン期間（例えば６４ｍｓｅｃ）は当該高周波をそのまま出力し，次いで，所定の第２のオフ期間（例えば６４ｍｓｅｃ）は当該高周波の振幅をカットした信号として出力する処理を繰り返す。これにより，変調回路２４６は，例えば，上記のように２．０ｋＨｚ相当の周期で間欠した８３．３ＭＨｚの高周波を，７．８１Ｈｚ相当の周期でオン／オフして，さらに大きい周期で間欠した高周波を間欠発振することができる。換言すると，変調回路２４６は，例えば，高周波発振回路２４４から入力された８３．３ＭＨｚの高周波を搬送波として，７．８１Ｈｚの略矩形波を表す信号を出力することができる。
【００５８】
このような変調回路２４６による２段階のオン／オフ処理が施された高周波は，コイル駆動回路２４８に入力される。コイル駆動回路２４８は，入力された高周波を電源供給回路２１からの電力で増幅し，周波数が８３．３ＭＨｚの高周波電流を２．０ｋＨｚ及び７．８１Ｈｚに相当する２つの周期で間欠発振して，高周波用コイル３０に印加する。
【００５９】
一方，低周波発振手段２５は，例えば，約２ｋＨｚの低周波電流を生成して，低周波用コイル４０に印可する。この低周波発振手段２５は，例えば，低周波発振回路２５４と，コイル駆動回路２５８とを有する。
【００６０】
低周波発振回路２５４は，上述したように，主制御回路２２から入力されたクロック信号に基づき，例えば２．０ｋＨｚおよび７．８１Ｈｚのクロック信号を生成し，変調回路２４６およびコイル駆動回路２５６にそれぞれ出力する。また，低周波発振回路２５４は，例えば，当該クロック信号に基づいて，２．０ｋＨｚの低周波を略矩形波として生成し，さらに，この低周波に対して，例えば約７．８１Ｈｚ相当の周期で（６４ｍｓｅｃごとに）オン／オフ処理を施して，約７．８１Ｈｚ相当の周期で間欠する２ｋＨｚの低周波を生成する。具体的には，低周波発振回路２５４は，例えば，所定の第３のオン期間（例えば６４ｍｓｅｃ）は当該低周波をそのまま出力し，次いで，所定の第３のオフ期間（例えば６４ｍｓｅｃ）は当該低周波の振幅をカットした信号として出力する処理を繰り返す。これにより，低周波発振回路２５４は，例えば，２．０ｋＨｚの低周波を，７．８１Ｈｚ相当の周期でオン／オフして間欠発振することができる。なお，この低周波発振回路２５４の前後にも，上記周波数制御回路２４２及び変調回路２４６に相当する回路を設けてもよい。
【００６１】
コイル駆動回路２５８は，低周波発振回路２５４から入力された低周波を電源供給回路２１からの電力で増幅して，周波数が２．０ｋＨｚの高周波電流を７．８１Ｈｚに相当する周期で間欠的に発振して，高周波用コイル３０に印加する。
【００６２】
ここで，図４に基づいて，本実施形態にかかる高周波用コイル３０および低周波用コイル４０に印可される高周波電流および低周波電流の波形について詳細に説明される。なお，図４は，本実施形態にかかる高周波用コイル３０および低周波用コイル４０に印可される高周波電流および低周波電流の波形を示す波形図である。
【００６３】
図４（ａ）に示すように，高周波用コイル３０には，例えば，周波数が約８３．３ＭＨｚの高周波電流が印可されている。この高周波電流は，例えば，振幅が３０ｍＡであり，０Ａを中心とした対称な略正弦波となっている。
【００６４】
また，この高周波電流は，例えば，連続波ではなく，周期的にオン／オフされた断続波となっている。詳細には，高周波電流は，例えば４００μｓｅｃの第１のオン期間（１）と，例えば１００μｓｅｃの第１のオフ期間（２）とを交互に繰り返した波形を有し，例えば約２．０ｋＨｚに対応する周期で間欠している。さらに，かかる高周波電流は，より大きい時間スケールでは，例えば６４ｍｓｅｃの第２のオン期間（３）と，例えば６４ｍｓｅｃの第２のオフ期間（４）とを交互に繰り返した波形を有し，例えば約７．８１Ｈｚに対応する周期でも間欠している。また，この高周波電流は，例えば約８３．３ＭＨｚと高周波であるので，その立ち上がり時間および立ち下がり時間が例えば０．００３μｓｅｃ以下と非常に微少である。
【００６５】
これに対し，図４（ｂ）に示すように，低周波用コイル４０には，例えば，周波数が約２．０ｋＨｚの低周波電流が印可されている。この低周波電流は，例えば，約２．０ｋＨｚの周期で，１７μＡまたは０Ａの２値を交互にとる矩形波（方形波）となっている。この低周波電流が１７μＡとなる期間（５）は，例えば４００μｓｅｃであり，０Ａとなる期間（６）は，例えば１００μｓｅｃである。また，この略矩形波は，その立ち上がり時間が０．１μｓｅｃ以下であり，立ち下がり時間が例えば１．０μｓｅｃ以下となるように調整されている。
【００６６】
また，この低周波電流も，例えば，連続波ではなく，例えば約７．８１Ｈｚで周期的にオン／オフされた断続波となっている。詳細には，低周波電流は，例えば６４ｍｓｅｃの第３のオン期間（６）と，例えば６４ｍｓｅｃの第３のオフ期間（８）とを交互に繰り返した波形を有し，例えば約７．８１Ｈｚに対応する周期で間欠している。
【００６７】
さらに，図４（ａ）および図４（ｂ）を比較すると，高周波電流が７．８１Ｈｚの周期でオン／オフされるタイミングと，低周波電流が７．８１Ｈｚの周期でオン／オフされるタイミングとが同期している。より詳細には，高周波電流および低周波電流は，ともに７．８１Ｈｚに対応する周期で間欠して（具体的には，例えば１２８ｍｓｅｃの周期でオン／オフを繰り返して）いるが，このとき，高周波電流の第２のオン期間（３）（若しくは第２のオフ期間（４））と，低周波電流の第３のオン期間（７）（若しくは第３のオフ期間（８））とが略同一のタイミングとなるように，高周波電流および低周波電流の印加タイミングが調整されている。
【００６８】
加えて，高周波電流が高周波用コイル３０に印加される期間（１）（高周波電流のオン期間）と，低周波電流が例えば１７μＡとなる期間（５）（即ち，低周波用コイル４０に電流が流れる期間）とが，同期している。より詳細には，高周波電流は２．０ｋＨｚで間欠して（具体的には，例えば５００μｓｅｃの周期でオン／オフを繰り返して）いる一方，低周波電流は２．０ｋＨｚで１７μＡまたは０Ａの２値を交互にとっている。この場合において，高周波電流の第１のオン期間（１）と，低周波電流が１７μＡとなる期間（５）とが一致しており，高周波電流の第１のオフ期間（２）と，低周波電流が０Ａとなる期間（６）とが一致している。このように，高周波電流が実際に高周波用コイル３０に流れる期間と，低周波電流が実際に低周波用コイル４０に流れる期間とが同期するように，高周波電流および低周波電流の印加タイミングが調整されている。
【００６９】
上記のような高周波電流が例えば９Ｖで印可されることにより，高周波用コイル３０は，例えば，図４（ａ）に示したような高周波電流と略同一の波形の高周波電磁波を，発生して周囲に放射することができる。この高周波電磁波は，例えば，周波数が約８３．３ＭＨｚの高周波の略正弦波であり，約２．０ｋＨｚおよび約７．８１Ｈｚに相当する周期で周期的に間欠している。かかる高周波電磁波の照射により，例えば，高周波治療器１０の周囲に，治療用高周波数が例えば８３．３ＭＨｚである高周波交番磁界を，間欠的に発生させることができる。
【００７０】
より詳細には，この高周波交番磁界は，例えば，磁場強度が約７８４ｎＴを最大振幅として約８３．３ＭＨｚで周期的に増減し，磁場の向きが正負両方向に約８３．３ＭＨｚで周期的に変動する交番磁界であって，例えば約２．０ｋＨｚおよび約７．８１Ｈｚ相当の周期で間欠して発生したものである。
【００７１】
このように間欠した高周波交番磁界を発生させることにより，高周波治療器１０は，例えば，被治療体（人体の患部等）に対して，治療用高周波数である約８３．３ＭＨｚの高周波交番磁界だけでなく，この高周波交番磁界を搬送波とする約２．０ｋＨｚおよび約７．８１Ｈｚの低周波交番磁界も同時に照射しているように作用できる。
【００７２】
また，上記のような低周波電流が例えば９Ｖで印可されることにより，低周波用コイル４０は，例えば，図４（ｂ）に示したような低周波電流と略同一の波形の低周波電磁波を発生させて，周囲に放射することができる。この低周波電磁波は，例えば，周波数が約２．０ｋＨｚの低周波の略矩形波であり，約７．８１Ｈｚで周期的に間欠している。かかる低周波電磁波の照射により，例えば，高周波治療器１０の周囲に，治療用低周波数が例えば約２．０ｋＨｚである低周波交番磁界を，間欠的に発生させることができる。
【００７３】
より詳細には，この低周波交番磁界は，例えば，磁場の強度が約７３６ｎＴで略一定であり，磁場の向きが例えば正方向のみに固定された磁場を，２．０ｋＨｚの周期でオン／オフする（例えば，４００μｓｅｃのオン期間と，１００μｓｅｃのオフ期間を交互に繰り返す）することにより生じた交番磁界であり，全体としては，約７．８１Ｈｚ相当の周期で間欠して発生されたものである。
【００７４】
このように間欠した低周波交番磁界を発生することにより，高周波治療器１０は，例えば，被治療体に対して，治療用低周波数である約２．０ｋＨｚの低周波交番磁界だけでなく，この低周波交番磁界を搬送波とする約７．８１Ｈｚの低周波交番磁界も同時に照射しているように作用できる。
【００７５】
さらに，高周波用コイル３０および低周波用コイル４０に対して，上記高周波電流及び低周波電流を同時並行して印加することにより，かかる高周波電磁波と低周波電磁波を同時に発生させることができる。この結果，例えば，高周波治療器１０の周囲に，高周波交番磁界と低周波交番磁界を同時に発生させることができる。このとき，上記図４で示したように，例えば，高周波電磁波および低周波電磁波の７．８１Ｈｚでの間欠タイミングが相互に同期しており，かつ，高周波電磁波の２．０ｋＨｚでの間欠タイミングと，低周波電磁波による２．０ｋＨｚでの磁場発生タイミングとが同期している。
【００７６】
これにより，高周波電磁波照射による高周波交番磁界の発生タイミングと，低周波電磁波照射による磁界の発生タイミングとを同期させることができる。即ち，高周波用コイル３０が高周波交番磁界を発生するときには，低周波用コイル４０も所定強度の磁界を発生する一方，高周波用コイル３０が高周波交番磁界を発生しないときには，低周波用コイル４０も所定レベルの磁界を発生しないようにできる。従って，高周波治療器１０は，全体として，磁界（高周波用コイル３０が発生する高周波交番磁界，および低周波用コイル４０が発生する所定レベルの磁界）の発生／非発生を周期的に繰り返すことができる。
【００７７】
なお，上記では交番磁界の発生について説明したが，上記電磁波の照射により高周波交番電界と低周波交番電界も発生している。これらの交番電界の発生態様は，例えば，上記交番磁界の発生態様と略同一であるので，その説明は省略する。
【００７８】
また，上記例では，治療用高周波数として８３．３ＭＨｚの高周波電磁波を発生させ，治療用低周波数として２．０ｋＨｚの低周波電磁波を発生させる例について説明したが，発生させる周波数はかかる例に限定されない。本実施形態にかかる磁気治療器２０は，上記と同様な構成で，治療用高周波数として５０〜１４０ＭＨｚの範囲の高周波電磁波を発生させることが可能であり，また，治療用低周波数として２ｋＨｚ±１０％の範囲の低周波電磁波を発生させることが可能である。
【００７９】
次に，図５に基づいて，本実施形態にかかる高周波治療器１０による治療態様およびその作用効果について説明する。なお，図５は，本実施形態にかかる高周波治療器１０を用いた治療態様を示す説明図である。
【００８０】
図５（ａ）に示すように，高周波治療器１０を用いて人体の疼痛部位などの患部（被治療体）を治療する場合には，例えば，電源を入れて動作させた高周波治療器１０を，患部に対して，直接的に若しくは洋服などを介して間接的に接触させるだけでよい。これにより，高周波治療器１０は，上記のようにして発生させた交番磁界（高周波交番磁界および低周波交番磁界）を患部に作用させることができる。このとき，交番磁界は，例えば，患部の表面（皮膚など）だけではなく，患部の内部（筋肉，血管，骨など）にも作用する。
【００８１】
また，高周波治療器１０は，例えば，患部に対して必ずしも接触させる必要はなく，図５（ｂ）に示すように，患部に対して所定距離以内に接近させるだけでも，上記交番磁界を患部に作用させることができる。即ち，高周波治療器１０は，例えば，電極貼付型の磁気治療器等とは異なり，服の上などからでも治療が可能な非接触型の磁気治療器として用いることができる。しかし，高周波治療器１０が発生する交番磁界の強度は，高周波治療器１０から離隔するにつれ小さくなるので，高周波治療器１０と患部が過度に離隔すると磁気治療効果が薄れてしまう。本実施形態にかかる高周波治療器１０は，例えば，患部の３０ｃｍ以内に近づければ，磁界強度が３０ｎＴ以上である交番磁界を当該患部に対して作用させることができるように構成されている。
【００８２】
このようにして，上記交番磁界を患部に対して作用させることにより，例えば，患部の慢性疼痛（関節炎痛，神経因性疼痛等）や急性疼痛（打撲等）を緩和若しくは解消する鎮痛効果や，血行促進効果等の磁気治療効果を発揮できる。
【００８３】
かかる交番磁界の照射刺激がこのような鎮痛効果をもたらすメカニズムについては定かではないが，その要因の１つとしては，例えば，交番磁界の照射刺激が，生体の磁気エネルギー過程に影響し，皮膚，血液，神経系細胞膜の電荷移送により，渦磁流による原子−分子活性化をもたらすことが考えられる。特に，高周波治療器１０は，上記交番磁界の照射刺激により，例えば，患部における細胞膜へのカルシウムイオン（Ｃａ２＋）透過性を高めて，再生・修復機能を促進することができる。
【００８４】
詳細には，例えば，上記交番磁界の作用により，細胞内のカルシウムイオン濃度が上昇するため，エキソサイトーシス（開口放出）が誘発され，例えば，鎮痛性の神経ペプチドであるβ−エンドルフィン，アドレナリン，神経成長因子（ＮＧＦ：Ｎｅｒｖｅ  Ｇｒｏｗｔｈ  Ｆａｃｔｏｒ）等の物質が，特定の細胞内の小胞から当該細胞外に放出される。この結果，例えば，破傷された末梢神経細胞において，これらの物質が鎮痛作用を奏し，組織の再生・修復機能を促進するものと考えられる。
【００８５】
このエキソサイトーシスについて，より具体的に説明する。エキソサイトーシスとは，細胞質の小胞が細胞膜と融合してその中身を放出し，小胞膜が細胞膜に一時的若しくは永続的に取り込まれてしまうプロセスである。具体的には上記β−エンドルフィン，アドレナリン，神経成長因子（ＮＧＦ）等の神経伝達物質は，グリア細胞などの細胞内におけるシナプス小胞に蓄えられている。細胞に分泌刺激があると，このシナプス小胞膜と細胞膜とが結合及び融合し，次いで当該シナプス小胞から神経伝達物質が細胞外に放出されるエキソサイトーシスが起こる。このエキソサイトーシスに至る生化学的反応の詳細は，未だ十分に解明されてはいない。かかるエキソサイトーシスは，カルシウム依存性の反応であることが判明しており，細胞質，特に，細胞膜直下のシナプス小胞が存在する領域のカルシウムイオン濃度が充分に上昇すると，エキソサイトーシスが誘発される。
【００８６】
ここで，上記エキソサイトーシスを利用した磁気治療による鎮痛効果のメカニズムについて詳細に説明する。
【００８７】
（１）慢性疼痛の場合
慢性疼痛では，患部の神経細胞が損傷を受けて過敏症をきたしている状態と考えられる。このとき，患部に磁気刺激を与えると，神経のグリア細胞等が興奮し，グリア細胞内のカルシウムイオン濃度が上昇する。これにより，グリア細胞に上記エキソサイトーシス（開口放出）が起こる。グリア神経等は，細胞内に栄養因子である神経成長因子（ＮＧＦ）を有しており，エキソサイトーシスが起こると，この神経成長因子を細胞外に放出する。放出された神経成長因子は周囲の神経細胞に作用し，当該神経細胞の成長を促す。この結果，損傷を受けて過敏症をきたした神経細胞が修復され，当該神経細胞の過敏症が軽減するので，慢性疼痛が軽減されると考えられる。
【００８８】
（２）急性疼痛の場合
急性疼痛は，患部に急性の炎症が発生すること等によって起こる。この患部に磁気刺激を施すと，炎症部位周囲のβエンドルフィン含有細胞（例えばＮＫ細胞等）が興奮し，上記エキソサイトーシスにより，当該細胞内に存在するβエンドルフィンが細胞外に放出される。このβエンドルフィンは，強い鎮痛作用を有しているので，当該βエンドルフィンが炎症部位に作用して，炎症部位の疼痛が軽減されると考えられる。
【００８９】
以上説明したように，患部に対して好適な磁気刺激を与えることで，細胞内のカルシウムイオン濃度を上昇させてエキソサイトーシスを誘発させ，優れた鎮痛効果を生み出すことができると考えられる。
【００９０】
かかる観点から，本実施形態にかかる高周波治療器１０は，例えば，好適な磁気刺激を与えることの可能な交番磁界として，約８３．３ＭＨｚ前後の高周波交番磁界及び約２．０ｋＨｚの低周波交番磁界を放射して，患部に対して作用させることができる。この８３．３ＭＨｚ前後の高周波交番磁界の照射刺激は，例えば，他の周波数帯と比して，細胞膜へのカルシウムイオン（Ｃａ２＋）および酸素（Ｏ２）などの透過性を増加させ，細胞内のカルシウムイオン濃度を上昇させ，上記エキソサイトーシスを誘発する作用が高いと考えられる。また，２．０ＭＨｚの低周波交番磁界の照射刺激は，例えば，細胞からβ−エンドルフィン等を放出させる作用を有すると考えられる。
【００９１】
なお，患部に対して作用させる高周波交番磁界の周波数は，後述する実験結果によれば，磁気治療効果上，約８３．３ＭＨｚが最適であるが，この８３．３ＭＨｚの前後の周波数であっても，細胞内のカルシウムイオン濃度上昇に充分に寄与することが分かっている。この好適な高周波交番磁界の周波数の範囲は，５０〜１４０ＭＨｚであり，好ましくは５０〜１２０ＭＨｚであり，より好ましくは５５〜１１０ＭＨｚ，更に好ましくは６５〜１００ＭＨｚ，更に好ましくは７０〜９５ＭＨｚ，更に好ましくは８３．３±１０％ＭＨｚの範囲である。ここで挙げたもののうち，後者の範囲ほど，多くの細胞内のカルシウムイオン濃度を，より多く上昇させることができるので，磁気治療効果が高いといえる。
【００９２】
さらに，上記高周波治療器１０は，患部に対して交番磁界を断続的に作用させて，磁界作用に変化を与えることができる。このため，患部の組織（細胞など）が交番磁界に慣れてしまい磁気治療効果が薄れることがない。さらに，高周波交番磁界の発生タイミングと，低周波交番磁界の発生タイミングとが同期しているので，高周波治療器１０が作用させる磁界全体としてもメリハリがある。このため，患部に対する磁気刺激の有無をより明瞭にし，磁気治療効果を向上できる。
【００９３】
さらに，本実施形態にかかる高周波治療器１０は，発生する高周波電磁波の立ち上がり時間および立ち下がり時間が，例えば０．００３μｓｅｃ以下と非常に微少であるとともに，略矩形波である低周波電磁波の立ち上がり時間が０．１μｓｅｃ以下であり，立ち下がり時間が例えば１．０μｓｅｃ以下となるように調整されている。このため，上記のような交番磁界の変化時においては，磁界の作用／非作用の変化スピードが速い。従って，患部の組織はかかる磁界の変化に敏感に反応するので，磁気治療効果が高まる。
【００９４】
以上のように，本実施形態にかかる高周波治療器１０は，例えば，患部の組織の活性化，鎮痛作用の促進などを誘発するために好適な周波数の交番磁界を作用させるとともに，かかる交番磁界の作用／非作用を患部にとって好適な態様で切り替えることができる。従って，本実施形態にかかる高周波治療器１０は，従来の磁気治療器と比して，鎮痛効果などの磁気治療効果が非常に高い。
【００９５】
また，高周波治療器１０は，上記交番磁界の照射により，例えば，上記鎮痛効果のみならず，患部の血行を促進させるなどの作用を奏し，肩こり，腰痛等を軽減および予防することもできる。
【００９６】
また，高周波治療器１０は，操作が簡単で，比較的小さく持ち運びしやすいだけでなく，上記のように患部に当接または接近させるだけで，容易かつ短時間（例えば１０分間）で磁気治療効果を奏することができる。
【００９７】
また，細胞内のカルシウムイオン濃度を上昇させる他の方法としては，被治療体に対する薬剤投与や，電流刺激などがある。しかしながら，薬剤投与は副作用があるという問題があり，また，電流刺激は周囲の細胞，組織への影響が大きく，実施困難であるという問題がある。これに対して，本実施形態にかかる高周波治療器１０では，交番磁界を照射するという磁気刺激によって，細胞内のカルシウムイオン濃度を上昇させるという仕組みであるので，副作用が無く，周囲の細胞，組織への影響が小さいという利点がある。
【実施例】
【００９８】
次に，上記実施形態にかかる高周波治療器１０を用いた治療実験を行った結果について説明する。この高周波治療器１０は，上述したように，高周波交番磁界（例えば８３．３ＭＨｚ）及び低周波交番磁界（例えば２．０ｋＨｚ）を放射して，被治療体に作用させることができるものである。なお，以下の実施例は，上記実施形態にかかる高周波治療器１０の磁気治療効果を実験的に検証するためのものであり，本発明は以下の例に限定されるものではない。
【００９９】
＜実験１＞
まず，ラット坐骨神経結紮手術（ＣＣＩ：Ｃｈｒｏｎｉｃ  Ｃｏｎｓｔｒｉｃｔｉｏｎ  Ｉｎｊｕｒｙ）後の熱性痛覚過敏に対する，高周波治療器１０を用いた磁気治療による鎮痛効果を検証する実験１について説明する。
【０１００】
まず，本実験の疼痛評価法について説明する。この疼痛評価法では，実験用ラットの片方の後肢の坐骨神経を手術用糸で軽く５箇所，結紮（ＣＣＩ施術）する。これにより，施術した後肢は，熱に対して過敏症となるので，プランターテストの結果（ＰＷＬ：Ｐａｗ  Ｗｉｔｈｄｒａｗａｌ  Ｌａｔｅｎｃｙ  ｔｉｍｅ；後肢皮下への熱刺激に対する反応潜時（秒））が短くなる。すなわち，施術しない方の後肢は，光を照射したときに熱さを感じるまでの時間が長いが，施術した方の後肢は，熱過敏症のため，光を照射したときに熱さを感じるまでの時間が短くなる。施術した後肢が熱さを感じるまでの時間と，施術していない後肢が熱さを感じるまでの時間の時間差を，痛みの大きさとみなす。当該時間差が大きい（施術した足が熱を感じるまでの時間が短い）ほど，痛みを大きく感じると評価する。かかる評価方法を「ベネット法」といい，疼痛学会で世界的に承認された疼痛評価法である。
【０１０１】
次に，本実験の実験条件について説明する。本実験では，治療対象として雄ＳＤラット（３００〜３５０ｇ）を用いた。このラットに対して，ハロタン（２〜３％）／酸素麻酔下で，左側の後肢の座骨神経を結紮する手術を施して，ＣＣＩモデルを作成した。手術後５日より１０日までプランターテストを行い，左右の後肢が反応する時間差（左右差）で評価した。治療群に対しては，手術後６日目から，高周波治療器１０を用いて上記高周波交番磁界および低周波交番磁界を左背側大腿部に１０分間照射（１回／日照射，２回／日照射）して治療を施し，非治療群と比較した。
【０１０２】
かかる実験結果を図６に示す。図６は，ＣＣＩを施していない右側の後肢が反応した時間と，ＣＣＩを施した左側の後肢が反応した時間との差（ＰＷＬの左右差）の推移を，治療群と非治療群とに分けて示すグラフである。
【０１０３】
図６に示すように，非治療群では，ＰＷＬの左右差は，５日目で−３．２秒，７日目で−４．５秒，１０日目で−４．８秒となっており，日を経るにつれ左右差が増大した。これは，ＣＣＩ側の後肢で反応潜時が徐々に延長したこと，即ち，ＣＣＩ側の後肢の痛覚過敏が徐々に悪化したことを意味する。
【０１０４】
これに対し，治療群では，ＰＷＬの左右差は，１回／日照射の場合には，７日目で−３．３秒，８日目で−２．９秒，１０日目で−２．３秒と，日を経るにつれ左右差が徐々に減少し，２回／日照射の場合には，７日目で−２．９秒，８日目で−２．６秒，１０日目で−２．０秒と，左右差が大幅に減少した。このような実験結果によれば，治療群においては，ＣＣＩ側の後肢で反応潜時の延長が抑制され，非治療群に比べて痛覚過敏が改善されたといえる。さらに，高周波治療器１０による照射回数が多い方が，痛覚過敏がより改善されたといえる。
【０１０５】
＜実験２＞
次に，上記実験１と同様なラット坐骨神経結紮後の熱性痛覚過敏に対する，高周波治療器１０による磁気療法の効果を検証する別の実験２について説明する。
【０１０６】
実験２では，ラットを次のような，５つの群（ａ）〜（ｅ）に分類し，手術後３日より１４日まで，上記プランターテストを行い，左右の後肢が反応する時間差（左右差）で評価した。このうち，（ｃ）磁気治療群，（ｄ）抗ＮＧＦ抗体投与群，および（ｅ）ＮＧＦ増強剤投与群に対しては，手術後５日目から，上記高周波治療器１０を用いて高周波交番磁界および低周波交番磁界を左背側大腿部に１０分間照射して，磁気治療を施し，非治療群と比較した。５つのサンプル群の説明は以下の通りである。
【０１０７】
（ａ）偽手術（Ｓｈａｍ）群：
この偽手術群は，上記ＣＣＩ施術と同様の切開，縫合を行うが，坐骨神経を結紮しない群であり，上記ＣＣＩ施術の切開，縫合による影響を消去することが目的の対照群である。この偽手術群は，熱過敏症がないため，左右の後肢間で痛みを感じるまでの時間差がほとんどない。
【０１０８】
（ｂ）非治療群：
この非治療群は，上記ＣＣＩ施術を行うが，上記高周波治療器１０を用いた磁気治療を施さない群である。この非治療群は，ＣＣＩ側の後肢が熱過敏症となるため，痛みを感じる程度が最も大きく，反応潜時が最も長くなる。
【０１０９】
（ｃ）磁気治療群：
この磁気治療群は，上記ＣＣＩ施術を行い，上記高周波治療器１０を用いた磁気治療を施す群である。この磁気治療群は，上記ＣＣＩ施術後，毎日，磁気治療するため，当該磁気治療の鎮痛効果を表わす群となる。
【０１１０】
（ｄ）抗ＮＧＦ抗体投与群：
この抗ＮＧＦ抗体投与群は，上記ＣＣＩ施術後に，抗ＮＧＦ抗体を投与し，さらに上記高周波治療器１０を用いた磁気治療を施す群である。抗ＮＧＦ抗体は，ＮＧＦ（神経成長因子）と結合し，生理的な活性を消失させる物質である。このため，抗ＮＧＦ抗体投与群では，上記高周波治療器１０を用いた磁気治療により上記エキソサイトーシスが起こり体内でＮＧＦが放出されたとしても，上記抗ＮＧＦ抗体が体内に存在するので，当該放出されたＮＧＦが作用しない。もし，ＮＧＦ以外のものが鎮痛効果の要因であるとすれば，この抗ＮＧＦ抗体投与群は，上記磁気治療群と同等の実験結果になるはずである。従って，この抗ＮＧＦ抗体投与群の反応潜時が，上記磁気治療群の反応潜時より長くなれば，ＮＧＦが鎮痛に関与していることの証明になる。
【０１１１】
（ｅ）ＮＧＦ増強剤投与群：
このＮＧＦ増強剤投与群は，上記ＣＣＩ施術後に，４−Ｍｅｔｈｙｌ  Ｃａｔｈｅｃｏｌを投与し，さらに上記高周波治療器１０を用いた磁気治療を施す群である。４−Ｍｅｔｈｙｌ  Ｃａｔｈｅｃｏｌは，ＮＧＦの生成を増強する物質である。これにより，グリア細胞等のＮＧＦ産生細胞内で，ＮＧＦの産生量が増加するので，磁気刺激によりＮＧＦを放出する量も増加する。もし，ＮＧＦ以外のものが鎮痛効果の要因であるとすれば，このＮＧＦ増強剤投与群は，上記磁気治療群と同等の実験結果になるはずである。従って，このＮＧＦ増強剤投与群の反応潜時が，上記磁気治療群の反応潜時より短くなれば，ＮＧＦが鎮痛に関与していることの証明になる。
【０１１２】
以上のような５つのサンプル群を用いた実験結果を図７に示す。図７は，ＣＣＩを施していない右側の後肢が反応した時間に対する，ＣＣＩを施した左側の後肢が反応した時間の差（ＰＷＬの左右差）の推移を，上記５つの群ごとに分けて示すグラフである。
【０１１３】
図７に示すように，（ａ）偽手術群では，ＰＷＬの左右差は，ほぼゼロ秒前後で推移しており，上記ＣＣＩ施術の切開，縫合による影響がほとんどないことが分かる。
【０１１４】
また，（ｂ）非治療群では，ＰＷＬの左右差は，多少の増減があるものの，日を経るにつれ左右差が増大している。これは，ＣＣＩ側の後肢で反応潜時が徐々に延長したこと，即ち，ＣＣＩ側の後肢の痛覚過敏が徐々に悪化したことを意味する。
【０１１５】
これに対し，（ｃ）磁気治療群では，ＰＷＬの左右差は，磁気治療を施した５日目以降，日を経るにつれ徐々に減少している。この結果，磁気治療群においては，ＣＣＩ側の後肢で反応潜時の延長が抑制され，非治療群と比べて痛覚過敏が改善されたといえる。
【０１１６】
また，（ｄ）抗ＮＧＦ抗体投与群では，ＰＷＬの左右差は，磁気治療を施した５日目以降，ほぼ一定となった後に延長（増加）しており，上記磁気治療群と比べて長くなっている。従って，ＮＧＦが鎮痛に関与していることと，上記高周波治療器１０を用いた磁気治療によって，上記ラットの細胞内でエキソサイトーシスが起こり，ＮＧＦが放出されていることが実証されたといえる。
【０１１７】
さらに，（ｅ）ＮＧＦ増強剤投与群では，ＰＷＬの左右差は，磁気治療を施した５日目以降，日を経るにつれ徐々に減少しており，上記磁気治療群よりも更に短くなっている。従って，これによっても，ＮＧＦが鎮痛に関与していることと，上記高周波治療器１０を用いた磁気治療によって，上記ラットの細胞内でエキソサイトーシスが起こり，ＮＧＦが放出されていることが実証されたといえる。
【０１１８】
＜実験３＞
次に，フォルマリン誘発炎症性疼痛に対する高周波治療器１０による磁界療法の効果を検証した実験について説明する。
【０１１９】
まず，この実験３の実験条件について説明する。治療対象として雄ＳＤラット（３００〜３５０ｇ）を用いた。このラットに対して，ハロタン（２〜３％）／酸素（マスクで吸入）麻酔下で，後肢に対してフォルマリンを皮下注射後，当該ラットがフリンチング（ｆｌｉｎｃｈｉｎｇ；痛みにより後肢を振る行動）する回数を，６０分間にわたり分単位で測定した。治療群に対しては，フォルマリン注入前或いは注入後に，後肢に対して，上記高周波治療器１０を用いて高周波交番磁界および低周波交番磁界を１０分間照射して磁気治療を施し，非治療群と比較した。これは，ホルマリンテストといい，疼痛学会で世界的に承認された疼痛評価法である。
【０１２０】
かかる実験結果を図７に示す。図７は，フォルマリン注入後，フリンチングする回数を６０分間にわたり分単位で測定した結果を，治療群（注入前または注入後の治療），非治療群ごとに示すグラフである。
【０１２１】
図７に示すように，非治療群では，フリンチング回数が，フォルマリン注入後１分目で１０回／分で第１ピークとなった後，１５〜１７回／分（注入後３０〜５０分）を第２ピークとなる反応がみられた。
【０１２２】
これに対し，治療群では，フリンチング回数の全体的な推移傾向は非治療群の場合と略同一であった。しかし，毎分ごとのフリンチング回数が，非治療群の場合と比して，注入後に治療した場合には毎分１〜３回，注入前に治療した場合には毎分１〜９回も少ない。従って，治療群は，非治療群に比べてフォルマリン誘発炎症性疼痛が改善されたといえ，さらに，フォルマリン注射前に治療した方がより改善されたといえる。
【０１２３】
以上のような実験１〜３の結果により，痛覚過敏症およびフォルマリン誘発炎症性疼痛に対し，上記高周波治療器１０を用いた患部への交番磁界刺激による鎮痛効果が実証されたといえる。
【０１２４】
＜実験４＞
次に，被治療体の細胞に作用させる高周波交番磁界の治療用高周波数と，当該細胞内におけるカルシウムイオン濃度上昇度との関係を検証するための実験について説明する。
【０１２５】
この実験４では，初代培養ウシの大脳皮質細胞と海馬細胞に，異なる周波数の高周波交番磁界を作用させた後，これらの細胞内のカルシウムイオン（Ｃａ２＋）濃度を測定した。高周波交番磁界の周波数としては，８３．３ＭＨｚ（本発明の実施例），３５．０ＭＨｚ（比較例），２５０ＭＨｚ（比較例）の３種類の周波数について実験を行った。このように測定したカルシウムイオン濃度の上昇率が１．２倍以上である場合には，カルシウム反応が陽性であると判定し，それ未満である場合には陰性と判定した。また，測定装置等としては，倒立型蛍光顕微鏡（ＴＥ３００；ニコン社製），蛍光信号取得システム（ＡＱＵＡＣＯＳＭＯＳ−ＲＡＴＩＯ；浜松ホトニクス社製）およびカルシウム感受性蛍光要素（ｒｈｏｄ２またはｆｌｕｏ３）を使用した。
【０１２６】
かかる実験結果を，表１（大脳皮質細胞）および表２（海馬細胞）に示す。
【０１２７】
【表１】
2006311970.tif 000003
【０１２８】
【表２】
2006311970.tif 000004
【０１２９】
表１に示すように，大脳皮質細胞を用いた実験では，８３．３ＭＨｚの高周波交番磁界を作用させた場合には，陽性率が４５％と非常に高い。これに対し，３５．０ＭＨｚ及び２５０ＭＨｚの場合には，陽性率が８．３％，７．６％と低い。また，表２に示すように，海馬細胞を用いた実験では，８３．３ＭＨｚの高周波交番磁界を作用させた場合には，陽性率が１１．１％と高いのに対し，３５．０ＭＨｚ及び２５０ＭＨｚの場合には，いずれも０％である。
【０１３０】
このような実験結果によれば，本実施例にかかる８３．３ＭＨｚ前後の高周波交番磁界は，比較例にかかる他の周波数（３５．０ＭＨｚ及び２５０ＭＨｚ）と比べて，細胞内のカルシウムイオン濃度を高め，エキソサイトーシスを誘発する効果が非常に高いことが実証された。
【０１３１】
＜実験５＞
次に，被治療体の細胞に作用させる高周波交番磁界の治療用高周波数と，当該細胞内におけるカルシウムイオン濃度上昇度との関係について，より詳細に検証するための実験について説明する。
【０１３２】
この実験５では，２種の実験対象の細胞（アストロサイト，グリア細胞）に対して，異なる周波数（１０〜５００ＭＨｚ）の高周波交番磁界を作用させた後，これらの細胞内のカルシウムイオン（Ｃａ２＋）濃度を測定し，カルシウムイオン濃度が交番磁界作用前と比べて１．２倍以上に上昇したものを陽性と判定して，その陽性率を求めた。
【０１３３】
まず，本実験５における実験条件とその手順（１）〜（６）について説明する。
【０１３４】
（１）細胞の培養
使用細胞としては，アストロサイト系細胞である「ＫＩＮＧＳ−１」と，グリア系細胞である「ＮＭＣ−Ｇ１」の２種類を用いた。これらの細胞は，細胞バンクであるヒューマンサイエンス研究資源バンク（財団法人ヒューマンサイエンス振興財団）から提供されたものである。
【０１３５】
この２種類の細胞を，６穴又は１２穴の培養プレート，ＲＰＭＩ１６４０培地（日水製薬社製），及び炭酸ガス培養装置を用いて，一般的な方法に従って培養した。この培養では，培養プレートの１穴当たり，５×１０４個又は１０５個の細胞を入れ，炭酸ガス培養装置内で４日間又は２日間にわたり，３７℃で培養した。
【０１３６】
（２）対照データ（Ｍ１）の測定
次いで，培養プレートの各培養穴の培地を吸引して除去した後に，３７℃のリン酸緩衝液で細胞を数回，洗浄した。次いで，各培養穴に測定緩衝液を添加して，測定中に細胞が乾燥しないように適切な状態にした。その後，蛍光測定装置（「フルオロスキャンアセント」サーモエレクトロン社製）を用いて，上記培養プレートに対して蛍光測定を行い，装置バックグラウンドの状態を反映した対照データ（Ｍ１）を得た。この対照データ（Ｍ１）を測定しておくことより，細胞内のカルシウム濃度とは無関係の要素の影響を排除できる。
【０１３７】
（３）磁気刺激前の細胞内カルシウムイオン濃度（Ｍ２）の測定
次いで，上記Ｍ１の測定後に，上記培養プレートの各培養穴から測定緩衝液を除去した。さらに，培養プレートの各培養穴に，Ｃａ染色液「Ｆｌｕｏ−３」溶液を添加し，暗所において３７℃で１時間放置して，細胞内にＣａ染色液を浸透させた。その後，上記Ｃａ染色液「Ｆｌｕｏ−３」溶液を除去した。さらに，必要に応じて，３７℃のリン酸緩衝液を用いて細胞を数回，洗浄して，残余のＣａ染色液「Ｆｌｕｏ−３」溶液を除去した。次いで，各培養穴に３７℃の測定緩衝液を添加して，測定中に細胞が乾燥しないように適切な状態にした。その後，上記蛍光測定装置を用いて，上記培養プレートの各培養穴の細胞に関して蛍光測定を行い，磁気刺激前の細胞内のカルシウムイオン濃度（Ｍ２）を測定した。
【０１３８】
この蛍光測定は，上記蛍光測定装置「フルオロスキャンアセント」（サーモエレクトロン社製）を用いて，シングル測定で，励起波長４８５ｎｍ，測定波長５３８ｎｍで行った。また，当該蛍光測定装置が有する測定箇所選択機能を利用して，培養プレートの１穴当たり，細胞の多い部分を選択して３５〜６０箇所を測定した。従って，１つの培養穴内の細胞について，３５〜６０個のカルシウムイオン濃度（Ｍ２）のデータを得た。
【０１３９】
（４）磁気刺激
上記高周波治療器１０に相当する実験用の磁気刺激装置を用いて，上記培養プレート内の各細胞に対して１０分間，磁界刺激を与えた。この際，細胞に作用させる高周波交番磁界の周波数を１０ＭＨｚ〜５００ＭＨｚの範囲で変えて実験を行った。
【０１４０】
この際に用いた実験用の磁気刺激装置の構成について詳細に説明する。この磁気刺激装置は，ＭＨｚ帯（１０ＭＨｚ〜５００ＭＨｚ）の高周波を生成するための信号発生器（「Ｅ４４２１Ｂ」アジレント社製）と，ｋＨｚ帯（２．０ｋＨｚ）の低高周波を生成するためのファンクションジェネレータ（「３３２２０Ａ」アジレント社製）と，Ｈｚ帯（７．８１ｋＨｚ）の低高周波を生成するためのファンクションジェネレータ（「３２０」横河電機社製）と，これらを制御する制御装置と，発生周波数の強度を制御する増幅器と，発振コイルとから構成される。
【０１４１】
この発振コイル５０は，図９に示すように，直径３ｃｍ，軸方向の幅９ｍｍ，径方向の厚さ２ｍｍのアクリル製の環状基台部５２の外周に，銅線を巻いて，高周波用コイル３０及び低周波用コイル４０を形成したものである。このうち，高周波用コイル３０は，１回巻きソレノイドコイル（直径３ｃｍ）であり，低周波用コイル４０は，２００回巻きソレノイドコイル（直径３ｃｍ，巻き幅５ｍｍ）である。このように，発振コイル５０は，１つの環状基台部５０に，高周波用コイル３０及び低周波用コイル４０からなる２種のコイルを同軸上に作成したものを用いた。
【０１４２】
磁気刺激時には，この発振コイル５０の上に，上記カルシウムイオン濃度（Ｍ２）の測定後の培養プレート６０を載置して，遮光の布をかけた。次いで，発振コイル５０の高周波用コイル３０，低周波用コイル４０にそれぞれ高周波電流，低周波電流を印可して，高周波交番磁界及び低周波交番磁界を含む電磁波を発生させ，これにより，培養プレート６０の各培養穴内の細胞に対して，１０分間，磁気刺激を与えた。
【０１４３】
この際，高周波用コイル３０に印可する高周波電流の周波数を，実験単位ごとに，１０〜５００ＭＨｚの間で段階的に変化させて，異なる治療用高周波数の高周波交番磁界を細胞に作用させた。このうち，周波数が５０〜１４０ＭＨｚのものは本実施例とし，周波数が５０ＭＨｚ未満及び１４０ＭＨｚより大きいものを比較例とした。一方，低周波用コイル４０に印可する低周波電流の周波数は２．０ｋＨｚに維持して，一定の周波数（２．０ｋＨｚ）の低周波交番磁界を細胞に作用させた。これによって，低周波交番磁界の影響を排除して，高周波交番磁界の周波数と細胞内のカルシウムイオン濃度上昇との相関を実験することができる。なお，高周波交番磁界がいずれの周波数の場合でも，高周波交番磁界及び低周波交番磁界の双方を，上記図４で示したように７．８１Ｈｚで間欠的に出力した。また，磁気刺激中における上記発振コイル５０の中心部での磁界強度は，７８４ナノテスラであった。
【０１４４】
（５）磁気刺激後の細胞内カルシウムイオン濃度（Ｍ３）の測定
次いで，上記磁気刺激後に１０分間，静置した後に，上記（３）と同様な手順で，蛍光測定装置を用いて蛍光測定を行い，磁気刺激後の細胞内のカルシウムイオン濃度（Ｍ３）を測定した。
【０１４５】
（６）磁気刺激の前後のカルシウムイオン濃度上昇の陽性率の算出
まず，上記のように得られた，対象データ（Ｍ１）と，磁気刺激前のカルシウムイオン濃度（Ｍ２）と，磁気刺激後のカルシウムイオン濃度（Ｍ３）を用いて，下記の数式１に従い，カルシウムイオン濃度上昇度Ｒを計算した。かかるカルシウムイオン上昇度Ｒは，各実験単位内の全ての被験細胞についてそれぞれ算出した。
【０１４６】
【数１】
2006311970.tif 000005
【０１４７】
さらに，本実験では，このカルシウムイオン上昇度Ｒが１．２以上である場合には，磁気刺激による細胞内カルシウムイオン濃度の上昇が陽性であると判定するようにした。そこで，下記の数式２のように，各実験単位内の全実験数のうち，カルシウムイオン上昇度が１．２以上である実験数の割合（％）を計算し，カルシウムイオン上昇の陽性率Ｐを求めた。この陽性率Ｐが高いほど，磁気刺激によって細胞内のカルシウムイオン濃度がより多く上昇し，磁気治療効果が高いことを表す。
【０１４８】
【数２】
2006311970.tif 000006
【０１４９】
なお，上記カルシウムイオン上昇度Ｒが１．２以上である場合に，カルシウムイオン濃度の上昇が陽性であると判定した理由は，次の通りである。一般に，細胞内物質の細胞外への放出のメカニズムは，上記エキソサイトーシスによるものが最も多く，このエキソサイトーシスが起こるためには，細胞内のカルシウムイオン濃度の上昇が必要である。この場合，細胞内のカルシウムイオン濃度が，非興奮状態時の１．２倍以上に上昇すると，細胞が興奮して，エキソサイトーシスが起こると考えられている。細胞内のカルシウムイオン濃度は，細胞が非興奮状態でも完全に一定ではなく，微量の変動が起こっている。このため，生理学分野では，カルシウムイオン濃度の１．２倍以上の上昇が，細胞興奮の基準とされている。従って，本実験においても，１．２倍なる基準を採用した。
【０１５０】
さらに，上記のようにして陽性率Ｐを実験単位毎に得た後，これらの陽性率Ｐを同一の高周波交番磁界の周波数ごとに平均化して，カルシウムイオン上昇の平均陽性率（％）を求めた。さらに，当該周波数の実験単位ごとに，上記カルシウムイオン上昇度Ｒの平均値も求めた。
【０１５１】
以上，実験５の実験条件及び実験手順について説明した。かかる実験５の実験結果を，アストロサイト（ＫＩＮＧＳ−１）については表３及び図１０に，グリア細胞（ＮＭＣ−Ｇ１）については表４及び図１１に示す。なお，図１０及び図１１のグラフは，表３及び表４に示す平均陽性率（％）の実験データを周波数［ＭＨｚ］ごとにプロットして近似曲線を描いたものである。
【０１５２】
【表３】
2006311970.tif 000007
【０１５３】
【表４】
2006311970.tif 000008
【０１５４】
なお，上記表３及び表４における各パラメータの意味は，次の通りである。
・「ＮＯ．」は，１回の磁気刺激の実験の単位を表す実験番号である。この実験単位当たりのデータ数は３５〜６０個である。
・「周波数（ＭＨｚ）」は，上記磁気刺激装置によって発生させた高周波電磁波の周波数，即ち，細胞に作用させた高周波交番磁界の周波数である。
・「陽性率（％）」は，磁気刺激後の細胞内のカルシウムイオン濃度が磁気刺激前の１．２倍以上に上昇した実験数を同時に処理した全実験数で除算して得られた百分率（上記カルシウムイオン上昇の陽性率Ｐ）である。
・「平均陽性率（％）」は，上記陽性率（％）を同一の周波数に関して平均した値である。
・「Ｃａ上昇度」は，磁気刺激後の細胞内カルシウムイオン濃度を刺激前のカルシウムイオン濃度で割った数値（上記カルシウムイオン上昇度Ｒ）を，実験単位ごとに平均した値であり，各周波数の磁気刺激後のカルシウムイオン濃度が，磁気刺激前の何倍になったかを表す。
【０１５５】
（ａ）アストロサイトについて
まず，表３及び図１０に示すアストロサイト（ＫＩＮＧＳ−１）に関する実験結果について検討する。このアストロサイトは，神経細胞を修復する機能を有する神経成長因子（ＮＧＦ）を放出し，慢性疼痛の鎮痛効果に寄与する細胞である。
【０１５６】
表３及び図１０に示すように，このアストロサイト細胞に対して作用された高周波交番磁界の周波数が８３．３ＭＨｚである場合には，平均陽性率は１００％であり，カルシウムイオン濃度上昇度も１．３１倍〜１．６６倍の高い数値となっている。従って，８３．３ＭＨｚを中心とした所定範囲（８３．３±１０％ＭＨｚ）の高周波交番磁界を作用させれば，ほぼ全てのアストロサイトにおいて，カルシウムイオン濃度が十分に上昇してエキソサイトーシスが起こるため，顕著に優れた鎮痛効果を発揮するといえる。
【０１５７】
また，周波数が７０ＭＨｚである場合には，平均陽性率は９５％であり，周波数が９５ＭＨｚである場合には，平均陽性率は９１．５％である。従って，周波数が７０〜９５ＭＨｚの高周波交番磁界を作用させれば，少なくとも９０％以上のアストロサイトにおいて，カルシウムイオン濃度が十分に上昇してエキソサイトーシスが起こるため，非常に優れた鎮痛効果を発揮するといえる。
【０１５８】
また，周波数が６５ＭＨｚである場合には，平均陽性率は８１％であり，周波数が１０５ＭＨｚである場合には，平均陽性率は７２．７％である。従って，周波数が６５〜１０５ＭＨｚの高周波交番磁界を作用させれば，少なくとも７０％以上のアストロサイトにおいて，カルシウムイオン濃度が十分に上昇してエキソサイトーシスが起こるため，大変に優れた鎮痛効果を発揮するといえる。
【０１５９】
また，周波数が５５ＭＨｚである場合には，平均陽性率は６２．７％であり，周波数が１１０ＭＨｚである場合には，平均陽性率は５９．７％である。従って，周波数が５５〜１１０ＭＨｚの高周波交番磁界を作用させれば，少なくとも５０％以上のアストロサイトにおいて，カルシウムイオン濃度が十分に上昇してエキソサイトーシスが起こるため，優れた鎮痛効果を発揮するといえる。
【０１６０】
また，周波数が５０ＭＨｚである場合には，平均陽性率は４５．３％であり，周波数が１２０ＭＨｚである場合には，平均陽性率は４３．３％である。従って，周波数が５０〜１２０ＭＨｚの高周波交番磁界を作用させれば，少なくとも４０％以上のアストロサイトにおいて，カルシウムイオン濃度が十分に上昇してエキソサイトーシスが起こるため，良好な鎮痛効果を発揮するといえる。
【０１６１】
また，周波数が４０ＭＨｚである場合には，平均陽性率は３４％であり，周波数が１４０ＭＨｚである場合には，平均陽性率は３０．６％である。従って，周波数が４０〜１４０ＭＨｚの高周波交番磁界を作用させれば，少なくとも３０％以上のアストロサイトにおいて，カルシウムイオン濃度が十分に上昇してエキソサイトーシスが起こるため，良い鎮痛効果を発揮するといえる。
【０１６２】
これに対して，周波数が４０ＭＨｚ未満，例えば，３３ＭＨｚ，２０ＭＨｚ，１０ＭＨｚである場合には，平均陽性率は０〜２％と非常に低い。また，周波数が１４０ＭＨｚより大，例えば，２００ＭＨｚ，３００ＭＨｚ，３８５ＭＨｚ，５００ＭＨｚである場合には，平均陽性率は０〜１１．５％と低い。従って，周波数が４０ＭＨｚ未満，若しくは１４０ＭＨｚより大きい高周波交番磁界を作用させたとしても，カルシウムイオン濃度が十分に上昇して，エキソサイトーシスが起こるアストロサイトの数が少ない（若しくはゼロである）ので，鎮痛効果が低いといえる。
【０１６３】
（ｂ）グリア細胞について
次に，表４及び図１１に示すグリア細胞（ＮＭＣ−Ｇ１）に関する実験結果について検討する。このグリア細胞は，上記アストロサイトと同様に，神経細胞を修復する機能を有する神経成長因子（ＮＧＦ）を放出し，慢性疼痛の鎮痛効果に寄与する細胞である。
【０１６４】
表４及び図１１に示すように，このグリア細胞に対して作用された高周波交番磁界の周波数が８３．３ＭＨｚである場合には，平均陽性率は９７．６％であり，カルシウムイオン濃度上昇度も１．５６倍〜２．３１倍の高い数値となっている。従って，８３．３ＭＨｚを中心とした所定範囲（８３．３±１０％ＭＨｚ）の高周波交番磁界を作用させれば，ほぼ全てのグリア細胞において，カルシウムイオン濃度が十分に上昇してエキソサイトーシスが起こるため，顕著に優れた鎮痛効果を発揮するといえる。
【０１６５】
また，周波数が７０ＭＨｚである場合には，平均陽性率は９３．３％であり，周波数が９５ＭＨｚである場合には，平均陽性率は９４．５％である。従って，周波数が７０〜９５ＭＨｚの高周波交番磁界を作用させれば，少なくとも９０％以上のグリア細胞において，カルシウムイオン濃度が十分に上昇してエキソサイトーシスが起こるため，非常に優れた鎮痛効果を発揮するといえる。
【０１６６】
また，周波数が６５ＭＨｚである場合には，平均陽性率は７５．５％であり，周波数が１００ＭＨｚである場合には，平均陽性率は７８．５％である。従って，周波数が６５〜１００ＭＨｚの高周波交番磁界を作用させれば，少なくとも７０％以上のグリア細胞において，カルシウムイオン濃度が十分に上昇してエキソサイトーシスが起こるため，大変に優れた鎮痛効果を発揮するといえる。
【０１６７】
また，周波数が５５ＭＨｚである場合には，平均陽性率５５．３％であり，周波数が１１０ＭＨｚである場合には，平均陽性率は５５．３％である。従って，周波数が５５〜１１０ＭＨｚの高周波交番磁界を作用させれば，少なくとも５０％以上のグリア細胞において，カルシウムイオン濃度が十分に上昇してエキソサイトーシスが起こるため，優れた鎮痛効果を発揮するといえる。
【０１６８】
また，周波数が５０ＭＨｚである場合には，平均陽性率は４３．７％であり，周波数が１２０ＭＨｚである場合には，平均陽性率は４７．７％である。従って，周波数が５０〜１２０ＭＨｚの高周波交番磁界を作用させれば，少なくとも４０％以上のグリア細胞において，カルシウムイオン濃度が十分に上昇してエキソサイトーシスが起こるため，良好な鎮痛効果を発揮するといえる。
【０１６９】
また，周波数が１４０ＭＨｚである場合には，平均陽性率は３３％である。従って，周波数が５０〜１４０ＭＨｚの高周波交番磁界を作用させれば，少なくとも３０％以上のグリア細胞において，カルシウムイオン濃度が十分に上昇してエキソサイトーシスが起こるため，良い鎮痛効果を発揮するといえる。
【０１７０】
これに対して，周波数が５０ＭＨｚ未満，例えば，４０ＭＨｚ，３０ＭＨｚ，２０ＭＨｚである場合には，平均陽性率は２３％以下と低い。また，周波数が１４０ＭＨｚより大，例えば，２００ＭＨｚ，３５０ＭＨｚ，３８５ＭＨｚである場合には，平均陽性率は０〜１１．５％と低い。従って，周波数が５０ＭＨｚ未満，若しくは１４０ＭＨｚより大きい高周波交番磁界を作用させたとしても，カルシウムイオン濃度が十分に上昇して，エキソサイトーシスが起こるグリア細胞の数が少ない（若しくはゼロである）ので，鎮痛効果が低いといえる。
【０１７１】
（ｃ）実験結果のまとめ
以上の（ａ）アストロサイト及び（ｂ）グリア細胞の双方の実験結果を鑑みれば，以下のことがいえる。
【０１７２】
即ち，細胞に作用させる高周波交番磁界の周波数が８３．３ＭＨｚを顕著なピークとして，細胞内のカルシウムイオン濃度の上昇の陽性率が高くなっており，周波数がこの８３．３ＭＨｚから離れるにつれて，当該陽性率が徐々に低くなっている。
【０１７３】
従って，細胞内のカルシウムイオン濃度を十分に上昇させてエキソサイトーシスを好適に誘発させるためには，作用させる高周波交番磁界の治療用高周波数が，５０〜１４０ＭＨｚであることが好ましい。これにより，カルシウムイオン濃度上昇の平均陽性率が３０％以上となるので，良い鎮痛効果を発揮できる。一方，周波数が，５０未満であるか或いは１４０ＭＨｚより大であると，カルシウムイオン濃度上昇の平均陽性率が３０％未満となる場合があるので，十分な鎮痛効果が得られない場合がある。
【０１７４】
また，当該治療用高周波数が，５０〜１２０ＭＨｚであることがより好ましく，これにより，カルシウムイオン濃度上昇の平均陽性率が４０％以上となるので，良好な鎮痛効果を発揮できる。さらに，当該治療用高周波数が，５５〜１１０ＭＨｚであることがより好ましく，これにより，カルシウムイオン濃度上昇の平均陽性率が５０％以上となるので，優れた鎮痛効果を発揮できる。さらに，当該治療用高周波数が，６５〜１００ＭＨｚであることがより好ましく，これにより，カルシウムイオン濃度上昇の平均陽性率が７０％以上となるので，大変に優れた鎮痛効果を発揮できる。さらに，当該治療用高周波数が，７０〜９５ＭＨｚであることがより好ましく，これにより，カルシウムイオン濃度上昇の平均陽性率が９０％以上となるので，非常に優れた鎮痛効果を発揮できる。さらに，当該治療用高周波数が，上記８３．３ＭＨｚのピークを中心とした所定範囲（８３．３±１０％ＭＨｚ）であることが最も好ましく，これにより，カルシウムイオン濃度上昇の平均陽性率が１００％に近くなるので，極めて優れた鎮痛効果を発揮できる。
【０１７５】
ここで，上記平均陽性率が３０％，４０％，…等であることを基準として，上記高周波交番磁界の治療用高周波数の好適な範囲を選定した理由について，生体に投与される薬剤と細胞の反応との一般的な関係を例に挙げて説明する。
【０１７６】
一般的に，薬剤投与により生体内の細胞は所定の反応を示すが，このとき反応する細胞の割合は，薬剤の種類によって異なる。例えば，非常に強力な薬剤（青酸カリ，テトロドトキシン等）を投与した場合には，９０％以上の細胞が反応する。また，通常の薬剤は，５０〜６０％の細胞が反応するように調合されている。効能がマイルドな薬剤は，副作用を抑制するために，３０％の細胞が反応するように調合されている。
【０１７７】
このように細胞の反応割合に応じて好適な薬剤を選定するのと同様にして，本実施形態では，細胞の反応割合に相当する平均陽性率に応じて，好適な高周波交番磁界の周波数の範囲を選定した。例えば，５０〜５５ＭＨｚの高周波交番磁界を作用させることによって，３０％〜４０％の細胞が陽性となる程度の比較的弱い磁気治療を施すことができる。一方，７０〜９５ＭＨｚの高周波交番磁界を作用させることによって，９０％以上の細胞が陽性となる程度の比較的強い磁気治療を施すことができる。
【０１７８】
以上，本発明の実施例に係る実験１〜５の実験結果について説明した。以上のような実験結果によれば，本実施形態にかかる高周波治療器１００を用いて，患部に対して好適な周波数の高周波交番磁界を作用させることによって，患部の細胞内のカルシウムイオン濃度が上昇してエキソサイトーシスが誘発され，この結果，ＮＧＦ等の放出により神経細胞が修復されるため，患部の疼痛が鎮痛されることが実証されたといえる。また，上記実験によれば，このような磁気治療効果をもたらす上で，高周波交番磁界の好適な周波数の範囲を実証することができた。
【０１７９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１８０】
例えば，上記実施形態では，高周波及び低周波電磁波発生手段は，電磁波を放射するアンテナとして，高周波用コイル３０または低周波用コイル４０等のコイルを備えていたが，本発明はかかる例に限定されない。電磁波を放射するアンテナは，例えば，コイル等のループアンテナ以外にも，ロッドアンテナ，ヘルツダイポールアンテナ，ショートアンテナ，半波長ダイポールアンテナ，ヘリカルアンテナ，モノポールアンテナ，ひし形アンテナ，アレーアンテナ，ホーンアンテナ，パラボラアンテナ，又はスロットアンテナ等の各種アンテナなどで構成されてもよい。また，当該アンテナとして用いられるコイルは，ソレノイドコイル，ヘルムホルツアンテナ，ロータリーコイル，スプリットペアコイル，シムコイル，又は鞍型コイルなどで構成できる。また，高周波用コイル３０または低周波用コイル４０の，材質，形状，巻き数，軸芯の有無，配置なども上記実施形態の例に限定されない。
【０１８１】
また，上記実施形態では，高周波用コイル３０または低周波用コイル４０に，高周波電流または低周波電流を印加する高周波発振手段および低周波発振手段として，図３に示すような制御ブロック２０の回路構成を採用したが，本発明はかかる例に限定されない。制御ブロック２０の回路構成は，例えば，所定の治療用高周波数（例えば５０〜１４０ＭＨｚ）の範囲内の高周波が発振可能であれば，多様に設計変更可能である。例えば，必ずしもマイクロコンピュータ等からなる主制御回路を設けずに，上記高周波を発振可能な高周波発振手段２４と，所定の低周波（例えば，２．０ｋＨｚ，７．８１Ｈｚ等）を発振可能な低周波発振手段２５を具備するようにしてもよい。
【０１８２】
また，上記実施形態では，高周波電磁波（高周波交番磁界）の治療用高周波数として，主に，８３．３ＭＨｚの例を挙げて説明したが，本発明はかかる例に限定されず，治療用高周波数は，５０〜１４０ＭＨｚの範囲内の所定の周波数であればよい。また，低周波電磁波の治療用低周波数として，例えば２．０ｋＨｚの例を挙げて説明したが，かかる例に限定されず，治療用低周波数は，約２．０±１０％ｋＨｚの範囲内の所定の周波数であってもいし，それ以外の範囲の任意の周波数であってもよい。
【０１８３】
また，上記実施形態では，高周波電磁波は，略正弦波であったが，かかる例に限定されず，例えば，略矩形波，ノコギリ波などであってもよい。また，低周波電磁波は，略矩形波であったが，かかる例に限定されず，例えば，略正弦波，ノコギリ波などであってもよい。また，上記低周波電磁波は，プラスの所定値とゼロ値の２値をとる略矩形波であったが，この２値は，かかる例に限定されず，例えば，ともにプラス値，ともにマイナス値，或いは，一方がプラス値で他方がマイナス値など，であってもよい。
【０１８４】
また，上記実施形態では，高周波電磁波発生手段は，高周波電磁波を，約２．０ｋＨｚおよび約７．８１Ｈｚの双方の周波数で複合的に間欠して発生させたが，本発明はかかる例に限定されない。高周波電磁波発生手段は，例えば，約２．０ｋ±１０％ｋＨｚの周波数，あるいは約７．８１Ｈｚ±１０％のいずれかの周波数のみで，高周波電磁波を間欠的に発生させてもよく，また，例えば，上記周波数以外の１又は２以上の周波数で間欠的に，高周波電磁波を発生させてもよい。また，高周波電磁波発生手段は，高周波電磁波を，間欠することなく連続的に（例えば，８３．３ＭＨｚ±１０％の連続波として）発生させてもよい。
【０１８５】
また，高周波電磁波発生手段は，上記のように高周波電磁波を完全に間欠的に発生させるのではなく，例えば，高周波電磁波を，その電磁波強度が所定の１又は２以上の周波数（例えば，約２．０ｋ±１０％ｋＨｚおよび約７．８１Ｈｚ±１０％など）で例えば略正弦波的に増減するように，発生させてもよい。これによっても，被治療体に作用する高周波交番磁界の強度を周期的に増減させて，交番磁界刺激に変化を与えることができるので，磁気治療効果が高まる。さらに，かかる高周波電磁波強度の周期的な増減に同期させて，例えば，低周波電磁波発生手段が発生させる低周波電磁波を，周期的に増減あるいは断続させてもよい。
【０１８６】
また，上記実施形態では，低周波電磁波発生手段は，低周波電磁波を約７．８１Ｈｚの周期で間欠的に発生させたが，本発明はかかる例に限定されない。低周波電磁波発生手段は，例えば，上記周波数以外の１又は２以上の周波数で低周波電磁波を間欠的に発生してもよい。また，低周波電磁波発生手段は，低周波電磁波を間欠することなく連続的に発生させてもよい。
【０１８７】
また，上記実施形態にかかる高周波治療器１０は，高周波発振手段２４および低周波発振手段２５の双方を備えることにより，高周波電磁波および低周波電磁波の双方を発生可能に構成したが，本発明は，かかる例に限定されない。高周波治療器１０は，上記低周波発振手段２５を具備せずに，上記高周波電磁波のみを発生する構成であってもよい。また，高周波治療器１０は，上記高周波発振手段２４及び／又は低周波発振手段２５以外にも，新たな１又は２以上の電磁波発生手段（例えば，別のコイルなど）を追加して具備してもよい。さらに，この追加された電磁波発生手段が発生する電磁波は，例えば，長波，中波，短波，超短波，マイクロ波など任意の周波数の電磁波であってもよい。
【０１８８】
また，高周波治療器１０は，上記以外の構成要素以外にも，例えば，被治療体に振動を与えるための振動発生手段，作用させる電磁波（交番磁界）の周波数若しくは強度，室温，体温，電池残量，などを計測する各種の計測装置，交番磁界の照射継続時間（動作時間）を計測および制御して，動作の自動オン／オフ等を行うタイマー装置，ユーザに対して予定治療時間の終了や電源消耗などを音声により通知するためのブザー装置などの発音装置，治療器本体を患部に装着するためのベルトまたは粘着剤等の装着手段，などを適宜設けてもよい。
【０１８９】
また，上記実施形態にかかる高周波治療器１０は，５０〜１４０ＭＨｚ（例えば８３．３ＭＨｚ）の高周波電磁波を発生させる構成であったが，本発明はかかる例に限定されない。
【０１９０】
例えば，高周波治療器１０は，５０〜１４０ＭＨｚ内の任意の周波数を任意の正の整数で除算した周波数（例えば，８３．３ＭＨｚを２，３，…で除算した約４１．６ＭＨｚ，２７．７ＭＨｚ，…など）を発振するように構成されており，この周波数の電磁波を発生させる際に付随的に生じる高調波を用いて，５０〜１４０ＭＨｚの高周波電磁波をも発生させるように構成してもよい。
【０１９１】
つまり，一般的には，発生させる高周波電磁波の基本波が完全な正弦波でなければ，その基本波の整数倍の周波数も高調波が必然的に発生する。このため，５０ＭＨｚ未満の電磁波（例えば，約４１．６５ＭＨｚ，約２７．８ＭＨｚ，…等）を基本波として発生させたとしても，その整数倍（２倍，３倍，…）の周波数の高周波電磁波（例えば８３．３ＭＨｚ）が高調波として発生する。この高調波の周波数が，上記本実施形態にかかる好適な周波数範囲，即ち，５０〜１４０ＭＨｚ，好適には５０〜１２０ＭＨｚ，より好適には５５〜１１０ＭＨｚ，さらにより好適には６５〜１００ＭＨｚ，さらにより好適には７０〜９５ＭＨｚ，特に好適には８３．３±１０％ＭＨｚの範囲内にあれば，当該高調波を被治療体に作用させることによって磁気治療効果が生じると考えられる。よって，当該高調波の発生源となる基本波を発生させる高周波治療器は，本願発明の技術的範囲に含まれる。
【０１９２】
また，高周波治療器１０は，１４０ＭＨｚより大きい周波数の高周波電磁波を５０〜１４０ＭＨｚで間欠的に発生させることによって，上記５０〜１４０ＭＨｚの高周波電磁波を発生させるようにしてもよい。
【０１９３】
つまり，人体などの生体細胞は，過度に高周波の周波数帯の電磁波の照射を受けても，当該高周波の交番磁界の変化に反応しない場合がある。かかる生体細胞の鈍感さを利用して，１４０ＭＨｚより大きい周波数の高周波電磁波（例えば１ＧＨｚ）を搬送波として，当該搬送波を，上記治療用高周波数である５０〜１４０ＭＨｚ（例えば８３．３ＭＨｚ）に対応する周期でオン／オフして出力することで，生体細胞は，あたかも当該治療用高周波数の電磁波のみが照射されているかのように反応することとなる。よって，当該高周波の発生源となる搬送波を間欠的に発生させる高周波治療器は，本願発明の技術的範囲に含まれる。
【０１９４】
また，上記治療用高周波数は，上記５０〜１４０ＭＨｚ範囲内の固定値であってもよい。しかし，患部の細胞に対して，同一の治療用高周波数の高周波交番磁界を継続的に作用させたときには，患部の細胞が当該周波数に慣れてしまい，磁気治療効果が低減する可能性がある，そこで，上記高周波治療器１０を用いた治療中（患部に対する高周波交番磁界の照射中）に，上記治療用高周波数を，５０〜１４０ＭＨｚ，好適には５０〜１２０ＭＨｚ，より好適には５５〜１１０ＭＨｚ，さらにより好適には６５〜１００ＭＨｚ，さらにより好適には７０〜９５ＭＨｚ，特に好適には８３．３±１０％ＭＨｚの範囲内で，変化させてもよい。これにより，磁気治療中に，患部の細胞に対して，異なる治療用高周波数の高周波交番磁界を作用させることができるので，患部の細胞が受ける磁気刺激に変化を与えて，磁気治療効果を向上させることができる。なお，このような治療用高周波数の変化は，例えば，高周波発振手段が，高周波用コイル３０に印可する高周波電流の周波数を，上記範囲内で変化させることによって実現できる。
【産業上の利用可能性】
【０１９５】
本発明は，高周波治療器に適用可能であり，特に，被治療体に対して高周波交番磁界を作用させて，鎮痛，血行促進等の磁気治療効果をもたらす高周波治療器に適用可能である。
【図面の簡単な説明】
【０１９６】
【図１】本発明の第１の実施形態にかかる高周波治療器の外観を示す斜視図である。
【図２】同実施形態にかかる高周波治療器の内部構成を示す平面図である。
【図３】同実施形態にかかる高周波治療器の回路構成例を示すブロック図である。
【図４】同実施形態にかかる高周波用コイルおよび低周波用コイルに印可される高周波電流および低周波電流の波形を示す波形図である。
【図５】同実施形態にかかる高周波治療器を用いた治療態様を示す説明図である。
【図６】本発明の実施例にかかる実験１の実験結果を示すグラフである。
【図７】本発明の実施例にかかる実験２の実験結果を示すグラフである。
【図８】本発明の実施例にかかる実験３の実験結果を示すグラフである。
【図９】本発明の実施例にかかる実験５で用いた発振コイルの構成を示す斜視図である。
【図１０】本発明の実施例にかかる実験５の実験結果（アストロサイト）を示すグラフである。
【図１１】本発明の実施例にかかる実験５の実験結果（グリア細胞）を示すグラフである。
【符号の説明】
【０１９７】
１０  高周波治療器
１２  ハウジング
１６  表示部
１８  電源部
２０  制御ブロック
２１  電源供給回路
２２  主制御回路
２３  クロック発生回路
２４  高周波発振手段
２５  低周波発振手段
３０  高周波用コイル
４０  低周波用コイル
【図１】
2006311970.tif 000009
【図２】
2006311970.tif 000010
【図３】
2006311970.tif 000011
【図４】
2006311970.tif 000012
【図５】
2006311970.tif 000013
【図６】
2006311970.tif 000014
【図７】
2006311970.tif 000015
【図８】
2006311970.tif 000016
【図９】
2006311970.tif 000017
【図１０】
2006311970.tif 000018
【図１１】
2006311970.tif 000019